(57)【要約】      （修正有）【課題】血行や血圧の改善のため使用者が快適な状態で炭酸ガスを人体から吸収できるようにした股間用炭酸ガス吐出装置を提供する。【解決手段】炭酸ガス吐出装置１１は、人体の股間部位に装着することで外部と遮蔽され、炭酸ガスが供給される充填空間１４を有する炭酸ガス吐出パッド１１を備えていることを特徴とする。また、前記炭酸ガスを供給する炭酸ガス供給装置６１を更に備え、前記炭酸ガス吐出パッド１１は、前記炭酸ガス供給装置６１から供給される炭酸ガスを前記充填空間に吐出する吐出孔１５を有する。【選択図】図１
0003161207.tif 000002
【実用新案登録請求の範囲】
【請求項１】
人体の股間部位に装着することで外部と遮蔽され、炭酸ガスが供給される充填空間を有する炭酸ガス吐出パッドを備えていることを特徴とする股間用炭酸ガス吐出装置。
【請求項２】
前記炭酸ガスを供給する炭酸ガス供給装置を更に備え、
前記炭酸ガス吐出パッドは、前記炭酸ガス供給装置から供給される炭酸ガスを前記充填空間に吐出する吐出孔を有することを特徴とする請求項１に記載の股間用炭酸ガス吐出装置。
【請求項３】
前記炭酸ガス吐出パッドは、前記炭酸ガス供給装置の吹き出し口に接続される吸入口を有し、
前記吸入口は、前記吐出孔を介して前記充填空間に連通していることを特徴とする請求項２に記載の股間用炭酸ガス吐出装置。
【請求項４】
前記炭酸ガス吐出パッドは、パッド部と、前記パッド部の少なくとも一部の表面を覆う着脱自在なカバーと、を備えていることを特徴とする請求項２または３に記載の股間用炭酸ガス吐出装置。
【請求項５】
前記カバーは、前記充填空間を内側から覆うと共に、前記吐出孔が形成されていることを特徴とする請求項４に記載の股間用炭酸ガス吐出装置。
【請求項６】
前記充填空間は、使用者の生殖器から肛門までを覆うことができる大きさであることを特徴とする請求項１ないし５の何れか１項に記載の股間用炭酸ガス吐出装置。
【請求項７】
前記炭酸ガス吐出パッドは、内部に前記炭酸ガス供給装置を収容可能であることを特徴とする請求項２に記載の股間用炭酸ガス吐出装置。
【請求項８】
前記炭酸ガス吐出パッドは、使用者の生殖器および臀部を覆うことができるアンダーウェア型であることを特徴とする請求項１に記載の股間用炭酸ガス吐出装置。
【考案の詳細な説明】
【技術分野】
【０００１】
本考案は、使用者の股間部位に炭酸ガスを吐出させることができる股間用炭酸ガス吐出装置に関するものである。
【背景技術】
【０００２】
炭酸ガスが体内に吸収されると、体内の組織を通して血液中の赤血球内に入り込み、赤血球内において化学反応が生じ、赤血球は酸素を放出する。赤血球から放出された酸素が、体内の細胞に行き渡ることで、各細胞は活性化する。各細胞が、活性化することで、血管が拡張したり、血行が促進されたり、血圧が低下したりする等の効果をもたらすことができる。このような効果をＢｏｈｒ効果といい、従来から美容や医療の分野において利用されている。
【０００３】
近年、体内に炭酸ガスを吸収させるために様々な装置が考案されている。例えば、特許文献１には人体の皮膚を覆い、空間内に炭酸ガスおよび水蒸気を溜めるカバー部材を有する炭酸ガス浴用カバーが提案されている。このような炭酸ガス浴用カバーを用いれば、少量の炭酸ガスでも効率的に人体の皮膚から炭酸ガスを吸収させることができる。
【先行技術文献】
【特許文献】
【０００４】
【特許文献１】実用新案登録第３１４４７１８号公報
【考案の概要】
【考案が解決しようとする課題】
【０００５】
上述した炭酸ガス浴用カバーでは、フラットな形状のパッチを用いることで、人体の様々な部位に適用することができるが、人体の特殊な部位に適用することは困難である。すなわち、人体の股間に取り付けようとする場合、フラットな形状のパッチが、人体の股間の形状に合わず取り付けが困難であり、取り付けられたとしてもカバー本体内の炭酸ガスが外部に漏出してしまうという問題がある。
本考案は、上述したような問題点に鑑みてなされたものであり、人体の特殊な形状である股間からでも炭酸ガスを人体に吸収できるようにする。
【課題を解決するための手段】
【０００６】
本考案は、人体の股間部位に装着することで外部と遮蔽され、炭酸ガスが供給される充填空間を有する炭酸ガス吐出パッドを備えていることを特徴とする。
また、前記炭酸ガスを供給する炭酸ガス供給装置を更に備え、前記炭酸ガス吐出パッドは、前記炭酸ガス供給装置から供給される炭酸ガスを前記充填空間に吐出する吐出孔を有することを特徴とする。
また、前記炭酸ガス吐出パッドは、前記炭酸ガス供給装置の吹き出し口に接続される吸入口を有し、前記吸入口は、前記吐出孔を介して前記充填空間に連通していることを特徴とする。
また、前記炭酸ガス吐出パッドは、パッド部と、前記パッド部の少なくとも一部の表面を覆う着脱自在なカバーと、を備えていることを特徴とする。
また、前記カバーは、前記充填空間を内側から覆うと共に、前記吐出孔が形成されていることを特徴とする。
また、前記充填空間は、使用者の生殖器から肛門までを覆うことができる大きさであることを特徴とする。
また、前記炭酸ガス吐出パッドは、内部に前記炭酸ガス供給装置を収容可能であることを特徴とする。
前記炭酸ガス吐出パッドは、使用者の生殖器および臀部を覆うことができるアンダーウェア型であることを特徴とする。
【考案の効果】
【０００７】
本考案によれば、人体の特殊な形状である股間からでも炭酸ガスを人体に吸収できる。
【図面の簡単な説明】
【０００８】
【図１】第１の実施形態に係る股間用炭酸ガス吐出装置の構成を示す図である。
【図２Ａ】炭酸ガス吐出パッドの分解斜視図である。
【図２Ｂ】炭酸ガス吐出パッドの分解斜視図である。
【図３】股間用炭酸ガス吐出装置の使用状態を示す図である。
【図４】他の炭酸ガス吐出パッドの構成を示す図である。
【図５】第２の実施形態に係る股間用炭酸ガス吐出装置の構成を示す図である。
【図６】炭酸ガス吐出装置の分解斜視図である。
【図７】股間用炭酸ガス吐出装置の使用状態を示す図である。
【図８Ａ】第３の実施形態に係る股間用炭酸ガス吐出装置の構成を示す図である。
【図８Ｂ】第３の実施形態に係る股間用炭酸ガス吐出装置の構成を示す図である。
【図９】炭酸ガス吐出パッドを上方から見た図である。
【図１０】股間用炭酸ガス吐出装置の使用状態を示す図である。
【考案を実施するための形態】
【０００９】
以下、本考案に係る実施形態について図面を参照して説明する。
（第１の実施形態）
図１（ａ）および図１（ｂ）はそれぞれ異なる方向から見た本実施形態に係る股間用炭酸ガス吐出装置１０（以下、炭酸ガス吐出装置１０という）の構成を示す図である。
図１（ａ）および図１（ｂ）に示すように、炭酸ガス吐出装置１０は、炭酸ガス吐出パッド１１と炭酸ガス供給装置６１とを含んで構成されている。
【００１０】
炭酸ガス吐出パッド１１は、使用者の股間部位を覆い、覆った股間部位の周囲を炭酸ガスで充満させることができるものである。具体的には、炭酸ガス吐出パッド１１は側面視（図１（ａ）に示す矢視Ａ方向）で略椀状に形成され、斜め上方に開口する開口部１２、開口部１２から外側に張り出したフランジ部１３、開口部１２の内側で炭酸ガスが充填される充填空間１４、略椀状に形成された本体部１６、基台部１７により構成されている。
【００１１】
充填空間１４は、湾曲状に形成された湾曲内面１４ａと、この湾曲内面１４ａの両側に形成された平面状の側面１４ｂとによって囲まれている。充填空間１４の幅Ｈおよび深さＤは、少なくとも男性の生殖器を覆うことができる寸法に形成されている。また、充填空間１４の長さＬは、使用者の生殖器から肛門までも覆うことができる寸法に形成されている。湾曲内面１４ａには、炭酸ガスを充填空間１４内に吐出させるための複数の吐出孔１５が形成されている。吐出孔１５は、湾曲内面１４ａの長手方向に沿って一定間隔のピッチで形成されている。図１（ａ）に示す実施形態では、２０ｍｍのピッチで５つの吐出孔１５が形成されている。フランジ部１３は、股間部位の体表面の曲線と合致するように、側面視で湾曲して形成されている。フランジ部１３の幅Ｈ´は、使用者の両大腿部の内側間に収まる寸法に形成されている。なお、フランジ部１３は、省略してもよく、この場合、開口部１２の幅Ｈが、使用者の両大腿部の内側間に収まる寸法に形成される。図１（ｂ）に示すように、本体部１６は、湾曲状に形成された湾曲外面１６ａと、湾曲外面１６ａの両側に形成された平面状の側面１６ｂによって形成されている。基台部１７は、略矩形状であって湾曲外面１６ａに一体で形成されている。基台部１７の下面には、炭酸ガス供給装置６１から炭酸ガスを吸入するための吸入口１８が設けられている。
【００１２】
また、炭酸ガス吐出パッド１１は、その機能を発揮させるために、複数の部品によって構成されている。図２Ａおよび図２Ｂはそれぞれ異なる方向から見た炭酸ガス吐出パッド１１の分解斜視図である。
炭酸ガス吐出パッド１１は、パッド部２１、アウター部４１、インナー部５１から構成されている。
【００１３】
パッド部２１は、例えばポリプロピレン等の樹脂材料で射出成形により形成され、炭酸ガス吐出パッド１１の骨格を成して、その剛性を高める機能を有している。パッド部２１は、上述した炭酸ガス吐出パッド１１の外観形状と略同一である。すなわち、図２Ａに示すように、パッド部２１は、開口部２２、フランジ部２３、充填空間２４、本体部２６、基台部２７等を有している。また、パッド部２１には、充填空間２４を囲む一面である湾曲内面２４ａの略中央に、基台部２７に設けられた吸入口１８に連通する開口部２８が形成されている。図２Ｂに示すように、吸入口１８は、チューブ２９と逆止弁３０とを有し、基台部２７から下方に向かって突出する態様で設けられている。炭酸ガス供給装置６１の吹き出し口６４を吸入口１８に接続し、炭酸ガス供給装置６１から炭酸ガスを放出させることで、炭酸ガスが吸入口１８から開口部２８を通って充填空間２４に供給される。
【００１４】
アウター部４１は、例えばクロロプレーンラバー等の密着性、柔軟性、耐久性および密閉性を有する材料により形成されている。アウター部４１は、パッド部２１の外側、具体的には本体部２６と基台部２７とフランジ部２３の下面とを、下側から覆うことでパッド部２１の外側の汚れを防止するカバーの機能がある。なお、図２Ｂに示すように、アウター部４１の湾曲外面１６ａ、側面１６ｂには、上述したクロロプレーンラバーに外側からナイロンジャージが張り合わされ、その耐久性を向上させている。アウター部４１の下部には、パッド部２１の吸入口１８を外部に挿通させるための挿通孔４２が形成されている。また、アウター部４１には、幅方向における中央に沿って、その一部に気密ファスナー４４が設けられている。気密ファスナー４４を閉めた状態では、炭酸ガスが外部に透過することがない。なお、アウター部４１にも、フランジ部４３が形成されている。
【００１５】
インナー部５１は、アウター部４１と同様、例えばクロロプレーンラバー等の密着性、柔軟性、耐久性および密閉性を有する材料により形成されている。インナー部５１は、パッド部２１の内側、具体的にはパッド部２１の充填空間２４とフランジ部２３の上面とを、上側から覆うことでパッド部２１の内側の汚れを防止するカバーの機能がある。また、インナー部５１は、上述した吐出孔１５およびフランジ部１３を有している。
【００１６】
次に、上述したパッド部２１と、アウター部４１と、インナー部５１とを用いて炭酸ガス吐出パッド１１を組み付ける方法について説明する。
まず、アウター部４１をパッド部２１に装着させる場合について説明する。アウター部４１をパッド部２１の下方から覆うようにして、被せていく。このとき、アウター部４１は柔軟性があることから、アウター部４１を変形させながら被せることができ、容易にアウター部４１をパッド部２１に装着することができる。アウター部４１をパッド部２１に装着した状態では、パッド部２１の吸入口１８が、アウター部４１の挿通孔４２から露出した状態になる。
【００１７】
次に、インナー部５１をパッド部２１に装着させる場合について説明する。インナー部５１をパッド部２１の上方から覆うようにして、被せていく。すなわち、インナー部５１とアウター部４１とで、パッド部２１を挟むようにして装着する。インナー部５１をパッド部２１に装着した状態で、インナー部５１のフランジ部１３とアウター部４１のフランジ部４３とを重ね合わせ、両者間に隙間がないように接着する。すなわち、インナー部５１とアウター部４１との間から、炭酸ガスが漏出しないように接着する。
【００１８】
なお、炭酸ガス吐出パッド１１を組み付ける方法は、上述した方法に限られない。すなわち、まず、インナー部５１のフランジ部１３とアウター部４１のフランジ部４３とを予め隙間がないように接着しておく。次に、アウター部４１の気密ファスナー４４を開いた後、インナー部５１とアウター部４１との間に、パッド部２１を挿入して炭酸ガス吐出パッド１１を組み付けてもよい。このように、気密ファスナー４４を用いることで、パッド部２１と、アウター部４１およびインナー部５１との間の着脱を容易に行うことができる。
【００１９】
一方、図１（ａ）および図１（ｂ）に示すように、炭酸ガス供給装置６１は、いわゆるスプレー缶や小型カートリッヂ等であって、容器６２と、押下部６３と、吹き出し口６４とを有している。容器６２は、炭酸ガスが高圧縮された状態で収容されている。使用者は、吹き出し口６４を炭酸ガス吐出パッド１１の吸入口１８に接続し、押下部６３を押すことで、容器６２内の炭酸ガスを充填空間１４内に充填させることができる。
【００２０】
次に、本実施形態に係る炭酸ガス吐出装置１０の使用方法について図３を参照して説明する。図３（ａ）は、炭酸ガス吐出装置１０の使用状態を示す斜視図であり、図３（ｂ）は、炭酸ガス吐出装置１０の使用状態を示す断面図である。
まず、使用者は前方から覆うようにして、炭酸ガス吐出パッド１１を股間部位にあてがう。なお、使用者は、皮膚の上から直接、股間部位を覆ってもよく、着衣の上から股間部位を覆ってよい。使用者は、炭酸ガス吐出パッド１１を股間部位にあてがった状態で、両大腿部の内側で、炭酸ガス吐出パッド１１を挟持することにより、炭酸ガス吐出パッド１１を保持して装着することができる。このとき、炭酸ガス吐出パッド１１は、使用者の生殖器から肛門に到るまでを覆うような態様となる。この状態で、使用者は、図３（ａ）および図３（ｂ）に示すように、例えば椅子に着座することで、炭酸ガス吐出パッド１１のズレを防止することができる。
【００２１】
上述したように、炭酸ガス吐出パッド１１を装着した状態では、炭酸ガス吐出パッド１１の充填空間１４は、人体によって囲まれることで密閉または略密閉された状態となる。なお、使用者が皮膚の上から直接、炭酸ガス吐出パッド１１を装着する場合、使用者の体表面と炭酸ガス吐出パッド１１のフランジ部１３とを接触させることができる。すなわち、フランジ部１３は、密着性があるクロロプレーンラバーであるために、体表面とフランジ部１３との間に隙間が発生せず、充填空間１４の密閉性を向上させることができる。
【００２２】
次に、使用者が吹き出し口６４の先端を炭酸ガス吐出パッド１１の吸入口１８に接続して、押下部６３を押下することで、吸入口１８を介して炭酸ガスを炭酸ガス吐出パッド１１内に充填させることができる。具体的には、炭酸ガスは、吸入口１８からパッド部２１の開口部２２および複数の吐出孔１５を通って、炭酸ガス吐出パッド１１の充填空間１４に供給される。炭酸ガスが、吐出孔１５を介して充填空間１４に供給されることで、冷たい炭酸ガスが直接、体表面に触れることを防止することができる。
【００２３】
炭酸ガスが充填空間１４に充填されると、使用者の体表面から、人体に炭酸ガスを吸収させることができる。特に、炭酸ガス吐出パッド１１が使用者の生殖器や肛門を覆っていて、生殖器や肛門の周囲は炭酸ガスで充満している。したがって、炭酸ガスは、使用者の生殖器や肛門を通して人体に吸収される。このとき、生殖器や肛門等の股間部位の化学反応によって、血管が拡張して血行が促進され、痔、便秘、前立腺の病症および冷え症を治療する効果がある。また、人体全体にも同様に、化学反応によって、血管が拡張したり、血行が促進されたり、血圧が低下したりする等の効果がある。なお、股間付近は湿気がある部位なので、炭酸ガスが人体から発生した水蒸気に溶解し、溶解した水蒸気を介して体内に炭酸ガスが吸収されるので、炭酸ガスが体内に、より吸収されやすい。
【００２４】
また、炭酸ガス吐出パッド１１では、インナー部５１およびアウター部４１をパッド部２１に装着できるように構成したので、取り外して洗浄して使用したり、他の使用者が使用する場合は交換して使用したりすることができる。
【００２５】
このように、本実施形態によれば、股間部位のような人体の特殊な部位であっても、炭酸ガス吐出装置を用いることができる。したがって、例えば、股間部位の化学反応によって、血管が拡張して血行が促進され、痔、便秘、前立腺の病症および冷え症を治療することができる。
【００２６】
なお、炭酸ガス吐出パッド１１は、上述した形状のみに限られず、生殖器のみを覆うことができる大きさであってもよい。また、上述した実施形態の炭酸ガス吐出パッド１１では本体部と基台部とを備える場合について説明したが、図４に示す炭酸ガス吐出パッド１０１のように、本体部と基台部とをつなぎ合せ、台形状の基台部１０２のみに形成してもよい。また、パッド部２１を省略して、インナー部５１とアウター部４１とから構成してもよい。また、インナー部５１およびアウター部４１は、パッド部２１の一部のみを覆うようにしてもよい。
【００２７】
（第２の実施形態）
第１の実施形態に係る炭酸ガス吐出装置１０は、炭酸ガス供給装置６１を炭酸ガス吐出パッド１１の吸入口１８に接続し、炭酸ガス供給装置６１から炭酸ガスを放出させることで、炭酸ガスを吸入口１８から炭酸ガス吐出パッド１１の充填空間２４に供給するものであった。本実施形態は、炭酸ガス供給装置が炭酸ガス吐出パッド内に内蔵された炭酸ガス吐出装置について説明する。
【００２８】
図５（ａ）および図５（ｂ）はそれぞれ異なる方向から見た本実施形態に係る股間用炭酸ガス吐出装置７０（以下、炭酸ガス吐出装置７０という）の構成を示す図である。図６は、炭酸ガス吐出装置７０の分解斜視図である。
図５（ａ）および図５（ｂ）に示すように、炭酸ガス吐出装置７０は、炭酸ガス吐出パッド７１と炭酸ガス供給装置８１とを含んで構成されている。
【００２９】
炭酸ガス吐出パッド７１は、使用者の股間部位を覆い、覆った股間部位の周囲を炭酸ガスで充満させることができるものである。炭酸ガス吐出パッド７１は、例えばポリプロピレン等の樹脂材料で射出成形により形成され、図５（ａ）および図５（ｂ）に示すように、開口部７２、充填空間７３、本体部７５、開閉蓋７６により構成されている。
【００３０】
開口部７２は、使用者の股間部位の体の曲線に合わせた形状に形成されている。開口部７２の開口縁は、体の表面との間で密着性を高めることができる、例えばクロロプレーンラバー等の材質が用いられている。開口部７２内には、炭酸ガスが充填される充填空間７３が形成されている。
充填空間７３は、少なくとも男性の生殖器を覆うことができる寸法に形成されている。充填空間７３の湾曲内面７３ａには、炭酸ガスを充填空間７３内に吐出させるための複数の吐出孔７４が形成されている。充填空間７３の湾曲内面７３ａを隔てた反対側には、本体部７５が取り付けられている。
【００３１】
図６に示すように、本体部７５は、内部に炭酸ガス供給装置８１を収容する収容空間７５ａが形成されている。本体部７５の外周部７５ｂには、図５（ｂ）および図６に示すように、炭酸ガス供給装置８１の押下部８３を外部に挿通させるための挿通孔７５ｃと、開閉蓋７６が取り付けられる開口部７５ｄが形成されている。
収容空間７５ａに収容される炭酸ガス供給装置８１は、図６に示すように、いわゆるスプレー缶や小型カートリッヂ等であって、容器８２と、押下部８３と、吹き出し口８４とを有している。容器８２は、炭酸ガスが高圧縮された状態で収容されている。使用者は、押下部８３を押すことで、容器８２内の炭酸ガスを吹き出し口８４から放出させることができる。収容空間７５ａに炭酸ガス供給装置８１を取り付ける場合、押下部８３を挿通孔７５ｃから挿通させて、外側から使用者が押下部８３を押すことができるようにする。一方、吹き出し口８４は収容空間７５ａ内に配置させて、吹き出し口８４から放出させた炭酸ガスを、まず収容空間７５ａ内に充填させるようにする。
【００３２】
開閉蓋７６は、本体部７５との間で開閉自在に軸支されている。開閉蓋７６を開くことで、炭酸ガス吐出パッド７１を分解することなく、本体部７５内の炭酸ガス供給装置８１を交換することができる。また、炭酸ガス吐出パッド７１が組み立てられた状態では、開閉蓋７６を閉めることで、収容空間７５ａの内部をほぼ密閉状態にすることができ、収容空間７５ａ内の気体は、吐出孔７４のみを介して充填空間７３に吐出される。
【００３３】
次に、本実施形態に係る炭酸ガス吐出装置７０の使用方法について図７を参照して説明する。図７は、炭酸ガス吐出装置７０の使用状態を示す断面図である。
まず、使用者は前方から覆うようにして、炭酸ガス吐出装置７０を股間部位にあてがう。なお、使用者は、皮膚の上から直接、股間部位を覆ってもよく、着衣の上から股間部位を覆ってよい。使用者は、炭酸ガス吐出装置７０を股間部位にあてがった状態で、両大腿部の内側で、炭酸ガス吐出装置７０を挟持することにより、炭酸ガス吐出装置７０を保持して装着することができる。
【００３４】
炭酸ガス吐出装置７０を装着した状態では、充填空間７３は、人体によって囲まれることで密閉または略密閉された状態となる。なお、使用者が皮膚の上から直接、炭酸ガス吐出装置７０を装着する場合、使用者の体表面と開口部７２の開口縁とを接触させることができる。すなわち、開口縁は、密着性があるクロロプレーンラバーであるために、体表面と開口縁との間に隙間が発生せず、充填空間７３の密閉性を向上させることができる。
【００３５】
次に、使用者が外側に露出された炭酸ガス供給装置８１の押下部８３を押下することで、まず収容空間７５ａ内に炭酸ガスを充填させることができる。使用者が継続して押下部８３を押下し続けることで、炭酸ガスは収容空間７５ａから複数の吐出孔７４を通って、充填空間７３に供給される。炭酸ガスが、吐出孔７４を介して充填空間７３に供給されることで、冷たい炭酸ガスが直接、体表面に触れることを防止することができる。
【００３６】
炭酸ガスが充填空間７３に充填されると、使用者の体表面から、人体に炭酸ガスを吸収させることができる。特に、炭酸ガス吐出装置７０が使用者の生殖器を覆っていて、生殖器の周囲は炭酸ガスで充満している。したがって、炭酸ガスは、使用者の生殖器を通して人体に吸収される。このとき、生殖器等の股間部位の化学反応によって、血管が拡張して血行が促進され、前立腺の病症および冷え症を治療する効果がある。
なお、炭酸ガス供給装置８１の容器８２に炭酸ガスがなくなった場合、開閉蓋７６を開いて新しい炭酸ガス供給装置８１に交換することができる。
【００３７】
（第３の実施形態）
第１の実施形態および第２の実施形態に係る炭酸ガス吐出装置は、炭酸ガス吐出パッドを股間部位にあてがうことにより装着するものであった。本実施形態は、アンダーウェア型の炭酸ガス吐出パッドを肌着と同じように着用することによって装着できる炭酸ガス供給装置について説明する。
【００３８】
図８Ａはトランスクタイプの炭酸ガス吐出パッドの斜視図であり、図８Ｂはブリーフタイプの炭酸ガス吐出パッドの斜視図である。図９（ａ）および図９（ｂ）は、炭酸ガス吐出パッドを上方から見た図である。
炭酸ガス吐出パッド９１は、生殖器を覆う中央被覆部９２、下腹部や臀部等を覆う周辺被覆部９３、吸入口９４により構成されている。
【００３９】
中央被覆部９２は、気体を透過しない伸縮性のある材質によって形成されている。周辺被覆部９３は、体表面と接する面には例えばクロロプレーンラバーやナイロン、ビニール等の密着性、柔軟性、耐久性および密閉性を有する材料により形成され、反対側の面にはナイロンジャージが張り合わされている。周辺被覆部９３の端部、すなわち腹部および大腿部を覆う部分にはゴムベルト或いはドローコードが設けられ、炭酸ガス吐出パッド９１内に充填された炭酸ガスが周辺被覆部９３と体表面との間から漏出しないように密閉性を向上させている。中央被覆部９２と周辺被覆部９３との間は、気体が透過しないように隙間なく縫製されている。
【００４０】
吸入口９４は、中央被覆部９２の上方に設けられ、炭酸ガス供給装置から炭酸ガスを吸入する。吸入口９４は、例えば自転車チューブのプラグや浮き輪用のプラグ等を用いることができる。図９（ａ）は、自転車チューブのプラグを用いた場合の例である。図９（ａ）に示すように、炭酸ガス吐出パッド９１内にはプラグ９４ａに接続されたチューブ９５が配設されていて、プラグ９４ａから供給された炭酸ガスがチューブ９５の両側から炭酸ガス吐出パッド９１内に充填される。また、図９（ｂ）は、浮き輪用のプラグを用いた場合の例である。図９（ｂ）に示すように、プラグ９４ｂの裏側には例えば布地で形成された重被覆部９６が、中央被覆部９２または周辺被覆部９３の一部で張り合わされている。プラグ９４ｂから供給された炭酸ガスは、中央被覆部９２と重被覆部９６との間に形成された隙間を通って炭酸ガス吐出パッド９１内に充填される。
なお、炭酸ガス供給装置は、第１の実施形態で説明した、いわゆるスプレー缶や小型カートリッヂ等であって、容器６２と、押下部６３と、吹き出し口６４とを有する。
【００４１】
次に、本実施形態に係る炭酸ガス吐出装置９０の使用方法について図１０を参照して説明する。図１０（ａ）は炭酸ガス吐出装置９０の使用状態を示す断面図であり、図１０（ｂ）は吐出している状態を示す断面斜視図である。
まず、使用者は通常のアンダーウェアを着用する同じ要領で炭酸ガス吐出パッド９１を着用することで、炭酸ガス吐出パッド９１を体に装着することができる。
炭酸ガス吐出パッド９１を装着した状態では、炭酸ガス吐出パッド９１内が密閉または略密閉された状態になり、体表面と中央被覆部９２との間および体表面と周辺被覆部９３との間に充填空間が形成される。
【００４２】
次に、使用者が炭酸ガス供給装置６１の吹き出し口６４の先端を炭酸ガス吐出パッド９１の吸入口９４に接続して、押下部６３を押下することで、吸入口９４を介して炭酸ガスを炭酸ガス吐出パッド９１内に充填させることができる。このとき、吸入口９４にプラグ９４ｂを用いた図１０（ｂ）に示す例を用いて説明すると、プラグ９４ｂから供給された炭酸ガスは、中央被覆部９２と重被覆部９６との間あるいは周辺被覆部９３と重被覆部９６との間に形成された隙間を通って炭酸ガス吐出パッド９１内に充填される。重被覆部９６を備えたことにより、冷たい炭酸ガスが直接、体表面に触れることを防止することができる。なお、図９（ａ）で説明したチューブ９５も冷たい炭酸ガスが直接、体表面に触れることを防止することができる効果がある。
使用者が継続して押下部６３を押下し続けることで、炭酸ガス吐出パッド９１内の炭酸ガスの圧力が上昇して、中央被覆部９２が伸張する。すなわち、炭酸ガス吐出パッド９１内の中央被覆部９２を中心に多くの炭酸ガスを充填させることができる。
【００４３】
炭酸ガスが炭酸ガス吐出パッド９１内に充填されると、使用者の体表面から、人体に炭酸ガスを吸収させることができる。特に、中央被覆部９２には多くの炭酸ガスが充填され、使用者の生殖器の周囲は炭酸ガスで充満している。したがって、炭酸ガスは、使用者の生殖器を通して人体に吸収される。このとき、生殖器等の股間部位の化学反応によって、血管が拡張して血行が促進され、前立腺の病症および冷え症を治療する効果がある。
【００４４】
このように、上述した第１〜第３の実施形態によれば、人体の特殊な形状である股間からでも炭酸ガスを人体に吸収できる。なお、本考案は上述した実施形態にのみ限定されるものではなく、本考案の範囲内で変更等が可能である。
【００４５】
上述した炭酸ガス供給装置では、スプレー缶や小型カートリッヂ等を用いる場合について説明したが、この場合に限られず、炭酸ガスを炭酸ガス吐出パッドに供給できるものであれば、どのようなものであってもよい。
例えば、高圧縮された炭酸ガスが充填された小型のハンディボンベに減圧器を用いて、減圧した状態で吹き出し口から供給できるようにしてもよい。使用者は、吹き出し口を炭酸ガス吐出パッドの吸入口に接続したり、炭酸ガス吐出パッドに収容した状態で、減圧器の目盛りで圧力を確認しながら摘みを開いていくことで、炭酸ガスを炭酸ガス吐出パッド内に供給することができる。
【００４６】
また、上述した実施形態では、炭酸ガス供給装置により、炭酸ガスを供給する場合についてのみ説明したが、例えば、炭酸ガス吐出パッド内で重曹とクエン酸とを化学反応させて炭酸ガスを発生させるようにしてもよい。また、炭酸ガス吐出パッド内でドライアイスを入れて、昇華させることで炭酸ガスを発生させるようにしてもよい。このように、化学反応を用いて炭酸ガスを充填させてもよい。
また、上述した実施形態では、炭酸ガスのみを吐出する場合について説明したが、この場合に限られず、炭酸ガスと一緒にミストや蒸気を吐出させてもよい。
【符号の説明】
【００４７】
１０：炭酸ガス吐出装置  １１：炭酸ガス吐出パッド  １４：充填空間  １５：吐出孔  １８：吸入口  ２１：パッド部２１  ４１：アウター部  ５１：インナー部  ６１：炭酸ガス供給装置  ６４：吹き出し口  ７０：炭酸ガス吐出装置  ７１：炭酸ガス吐出パッド  ７３：充填空間  ７４：吐出孔  ８１：炭酸ガス供給装置  ９１：炭酸ガス吐出パッド
【図１】
0003161207.tif 000003
【図２Ａ】
0003161207.tif 000004
【図２Ｂ】
0003161207.tif 000005
【図３】
0003161207.tif 000006
【図４】
0003161207.tif 000007
【図５】
0003161207.tif 000008
【図６】
0003161207.tif 000009
【図７】
0003161207.tif 000010
【図８Ａ】
0003161207.tif 000011
【図８Ｂ】
0003161207.tif 000012
【図９】
0003161207.tif 000013
【図１０】
0003161207.tif 000014